(57)【特許請求の範囲】
【請求項１】
音楽信号と記録位置情報が多重記録された記録媒体の再生を行う再生手段と、
外部から供給される電源の立ち上がりを検出する電源供給検出手段と、
電源供給検出手段で外部から供給される電源の立ち上がりが検出されると、再生手段を制御し、記録媒体を再生させながら音の小さい音楽が記録された小音量記録区間と音の大きい音楽が記録された大音量記録区間を検索して記憶手段に記憶させたあと、記憶手段の記憶内容を参照してまず小音量記録区間の開始位置のサーチをさせ、サーチ後当該小音量記録区間の再生をさせながらオーディオ出力させたあと、次に大音量記録区間の開始位置のサーチをさせ、サーチ後当該大音量記録区間の再生をさせながらオーディオ出力させる再生制御手段と、
を備えたことを特徴とする記録媒体再生装置。
【請求項２】
自動再生モードのオン・オフ設定を行うスイッチ手段を設け、
再生制御手段は、電源供給検出手段で外部から供給される電源の立ち上がりが検出されると、スイッチ手段で自動再生モードオン設定がされている場合に、再生手段を制御し、記録媒体を再生させながら音の小さい音楽が記録された小音量記録区間と音の大きい音楽が記録された大音量記録区間の検索をして記憶手段に記憶させたあと、記憶手段の記憶内容を参照してまず小音量記録区間の開始位置のサーチをさせ、サーチ後当該小音量記録区間の再生をさせながらオーディオ出力させたあと、次に大音量記録区間の開始位置のサーチをさせ、サーチ後当該大音量記録区間の再生をさせながらオーディオ出力させるようにしたこと、
を特徴とする請求項１記載の記録媒体再生装置。
【請求項３】
音楽信号と記録位置情報が多重記録された記録媒体の再生を行う再生手段と、
再生手段を制御し、記録媒体を再生させながら音の小さな音楽の記録された小音量記録区間と音の大きな音楽の記録された大音量記録区間の検索をして記憶手段に記憶させる検索制御手段と、
レベル順再生の指令が与えられると、再生手段を制御し、記憶手段の記憶内容を参照してまず小音量記録区間の開始位置のサーチをさせ、サーチ後当該小音量記録区間の再生をさせながらオーディオ出力させたあと、次に大音量記録区間の開始位置のサーチをさせ、サーチ後当該大音量記録区間の再生をさせながらオーディオ出力させる再生制御手段と、
を備えたことを特徴とする記録媒体再生装置。
【請求項４】
計時を行う計時手段と、
タイマ予約時間の設定を行うタイマ予約時間設定手段と、
計時手段で計時した時間がタイマ予約時間設定手段で設定されたタイマ予約時間と一致したとき、レベル順再生の指令を発生して再生制御手段に与える指令発生手段と、
を備えたことを特徴とする請求項３記載の記録媒体再生装置。
【請求項５】
音楽信号と記録位置情報が多重記録された記録媒体の再生を行う再生手段と、
外部から供給される電源の立ち上がりを検出する電源供給検出手段と、
電源供給検出手段で外部から供給される電源の立ち上がりが検出されると、再生手段を制御し、記録媒体を再生させながら音の小さい音楽の記録位置と音の大きい音楽の記録位置の検索をして記憶手段に記憶させたあと、記憶手段の記憶内容を参照してまず音の小さい音楽の記録位置のサーチをさせ、サーチ後当該音の小さい音楽の記録位置から或る時間再生させながらオーディオ出力させたあと、次に音の大きい音楽の記録位置のサーチをさせ、サーチ後当該音の大きい音楽の記録位置から或る時間再生をさせながらオーディオ出力させる再生制御手段と、
を備えたことを特徴とする記録媒体再生装置。
【請求項６】
自動再生モードのオン・オフ設定を行う設定手段を設け、
再生制御手段は、電源供給検出手段で外部から供給される電源の立ち上がりが検出されると、設定手段で自動再生モードオン設定がされている場合に、再生手段を制御し、記録媒体を再生させながら音の小さい音楽の記録位置と音の大きい大きい音楽の記録位置の検索をして記憶手段に記憶させたあと、記憶手段の記憶内容を参照してまず音の小さい音楽の記録位置のサーチをさせ、サーチ後当該音の小さい音楽の記録位置から或る時間再生をさせながらオーディオ出力させたあと、次に音の大きい音楽の記録位置のサーチをさせ、サーチ後当該音の大きい記録位置から或る時間再生をさせながらオーディオ出力させるようにしたこと、
を特徴とする請求項５記載の記録媒体再生装置。
【請求項７】
音楽信号と記録位置情報が多重記録された記録媒体の再生を行う再生手段と、
再生手段を制御し、記録媒体を再生させながら音の小さい音楽の記録位置と音の大きい音楽の記録位置の検索をして記憶手段に記憶させる検索制御手段と、
レベル順再生の指令が与えられると、再生手段を制御し、記憶手段の記憶内容を参照してまず音の小さい音楽の記録位置のサーチをさせ、サーチ後当該音の小さい記録位置から或る時間再生をさせながらオーディオ出力させたあと、次に音の大きい記録位置のサーチをさせ、サーチ後当該音の大きい記録位置から或る時間再生をさせながらオーディオ出力させる再生制御手段と、
を備えたことを特徴とする記録媒体再生装置。
【請求項８】
計時を行う計時手段と、
タイマ予約時間の設定を行うタイマ予約時間設定手段と、
計時手段で計時した時間がタイマ予約時間設定手段で設定されたタイマ予約時間と一致したとき、レベル順再生の指令を発生して再生制御手段に与える指令発生手段と、
を備えたことを特徴とする請求項７記載の記録媒体再生装置。
【発明の詳細な説明】
【０００１】
【技術分野】
本発明は記録媒体再生装置に係り、とくに再生音の大きさが段階的に大きくなるようにした記録媒体再生装置に関する。
【０００２】
【従来の技術】
トラック（曲）別の音楽信号と、絶対時間（Ａ−ｔｉｍｅ；Ａｂｓｏｌｕｔｅ−ｔｉｍｅ  ）及び演奏経過時間（Ｐ−ｔｉｍｅ；Ｐｒｏｇｒａｍｍ−ｔｉｍｅ  ）の記録位置情報を含むサブコードとがディジタル多重記録されたＣＤ（コンパクトディスク）と呼ばれる記録媒体が有る。ＣＤのリードイン領域にはトラック別の記録開始位置と最終トラックの記録終了位置を絶対時間で示すＴＯＣ（Ｔａｂｌｅ  Ｏｆ  Ｃｏｎｔｅｎｔｓ  ）情報が記録されている。このＣＤの再生を行うＣＤプレーヤには目覚まし代わりに所望時に自動再生可能とするためのタイマオンプレイ機能を設けたものがある。
【０００３】
従来のタイマオンプレイ機能付ＣＤプレーヤを含むオーディオシステムの構成を図１２に示す。１０はＡＣ１００Ｖの商用電源と接続されたタイマであり、ユーザによりタイマオン予約時間がたとえばＡＭ６時３０分の如く設定されているとき、内蔵時計で計時した時間がＡＭ６時３０分になると、それまでオフしていた出力側（図１２では２つの出力系統が有る場合を示す）にＡＣ１００Ｖを出力させる。
２０はタイマ１０からＡＣ１００Ｖの電源供給を受けるＣＤプレーヤであり、この内、２１は再生対象のＣＤ、２２はＣＤ２１を再生してアナログ音楽信号を出力するＣＤ再生部であり、このＣＤ再生部２２はＣＤ２１からサブコードを読み取って出力する機能も有している。２３はＣＤ再生部２２のアナログ音楽信号の出力側に設けられたミュート部、２４はキー操作部であり、電源（ＰＯＷＥＲ）キー、プレイキー、ストップキーなどを有している。２５はタイマオンプレイモードの設定・解除を行う機械式のタイマオンプレイスイッチであり、タイマオンプレイスイッチ２５が押圧されて閉成状態にあるとき、タイマオンプレイモード、タイマオンプレイスイッチ２５が開放されて開成状態にあるとき、タイマオンプレイモードがオフである。
【０００４】
２６はＡＣ１００Ｖから所定の直流安定化電源Ｅを形成する電源部、２７は電源開閉スイッチであり、後述するコントロール部の制御に従いスイッチを開閉してＣＤ再生部２２、ミュート部２３に直流安定化電源Ｅの給電をしたり、給電を停止したりする。２８はマイコン構成のコントロール部であり、キー操作部２４での電源キーの操作に従い電源開閉スイッチ２７に対する電源オン・オフ制御をしたり、プレイキーの操作に従いＣＤ再生部２２に対する再生制御とミュート部２３に対するミュートオン制御をしたり、ストップキーの操作に従いＣＤ再生部２２に対する再生停止制御とミュートオフ制御をしたりする。また、コントロール部２８は直流安定化電源Ｅが立ち上がるとパワーオンリセット動作をすることで外部からＣＤプレーヤ２０へ供給されているＡＣ電源の立ち上がりを検出する。そして、外部からＣＤプレーヤ２０へ供給されているＡＣ電源の立ち上がりを検出すると、タイマオンプレイスイッチ２５が閉成状態に在れば所定のタイマオンプレイ制御をしてＣＤ２１を自動的に再生させる。なお、キー操作部２４、タイマオンプレイスイッチ２５、コントロール部２８には直流安定化電源Ｅが直接給電される。タイマオンプレイスイッチ２５は閉成状態で直流安定化電源Ｅが給電されると、ハイレベルのタイマオンプレイモード信号をコントロール部２８へ出力する。
【０００５】
４０はＣＤプレーヤ２０の出力側に接続されてアナログ音楽信号に対する音量調節と電力増幅を行うオーディオアンプであり、タイマ１０からＡＣ１００Ｖの給電を受ける。オーディオアンプ４０の内、４１は音量調節部、４２は電力増幅部、４３は電源スイッチ、４４はＡＣ１００Ｖから所定の直流安定化電源Ｖと直流非安定化電源Ｖ´を作成する電源部である。５０はオーディオアンプ４０の電力増幅部４２の出力で駆動されるスピーカである。
【０００６】
図１３はＣＤプレーヤ２０のコントロール部２８の制御処理を示すフローチャートであり、以下、これらの図を参照してタイマオンプレイ動作を説明する。
なお、予め、タイマ１０でユーザによりタイマオン予約時間としてＡＭ６時３０分が設定してあるものとする。オーディオアンプ４０は電源スイッチ４３が押圧されて閉成しており、また音量調節部４１ではユーザにより適当な音量に調節済であるとする。また、ＣＤプレーヤ２０のタイマオンプレイスイッチ２５が押圧されてタイマオンプレイモードオンを示す閉成状態となっているものとし、電源開閉スイッチ２７は開状態となっているものとする。
【０００７】
タイマ１０は内蔵時計（図示せず）での計時時間がＡＭ６時３０分になる前は２つの出力系統ともＡＣ１００Ｖの出力をオフしている。このとき、ＣＤプレーヤ２０とオーディオアンプ４０は稼働を停止している。その後、タイマ１０の内蔵時計での計時時間がＡＭ６時３０分になるとタイマ１０はＡＣ１００Ｖを出力する。オーディオアンプ４０ではタイマ１０から給電されたＡＣ１００Ｖが電源スイッチ４３を経て電源部４４に供給され、該電源部４４から直流安定化電源Ｖと直流非安定化電源Ｖ´が生成され、前者が音量調節部４１に供給され、後者が電力増幅部４２に供給されて稼働状態となる。
【０００８】
一方、ＣＤプレーヤ２０ではタイマ１０から給電されたＡＣ１００Ｖが電源部２６に供給され、該電源部２６から直流安定化電源Ｅがキー操作部２４、コントロール部２８、タイマオンプレイスイッチ２５、電源開閉スイッチ２７に供給される。この内、タイマオンプレイスイッチ２５は予め閉成状態となっているのでハイレベルのタイマオンプレイモード信号を出力する。コントロール部２８は直流安定化電源Ｅの給電を受けて稼働を開始し、最初に所定のパワーオンリセット処理を行い（図１３のステップＳ１０）、続いてミュート部２３に対しミュートオン制御信号を出力し、ミュート部２３に電源が供給されても出力が無音状態となるようにさせる（ステップＳ１１）。次に、タイマオンプレイスイッチ２５の出力をチェックし、ハイレベルのタイマオンプレイモード信号が出力されているかチェックする（ステップＳ１２）。
【０００９】
若し、ステップＳ１２でＮＯであれば、ステップＳ２４へ進み、ユーザによる電源オン操作を待つがここではステップＳ１２でＹＥＳとなるので、電源開閉スイッチ２７に対し電源オン制御をしてスイッチを閉じさせ、ＣＤ再生部２２とミュート部２３にＥを給電させる（ステップＳ１３）。そして、ＣＤ再生部２２に対しまずＴＯＣ情報の読み取り制御をし、ＣＤ２１のリードイン領域のＴＯＣ情報を読み取らせて入力し、内蔵メモリ（図示せず）に記憶し（ステップＳ１４）、このＴＯＣ情報を参照してＣＤ再生部２２を制御をして１曲目の記録開始位置をサーチさせ（ステップＳ１５）、サーチ完了後、ミュート部２３に対しミュートオフ制御信号を出力してミュートを解除し（ステップＳ１６）、当該１曲目の記録開始位置から再生を開始させる（ステップＳ１７）。
【００１０】
この結果、ＣＤ再生部２２はＣＤ２１から再生したアナログ音楽信号を出力し、該アナログ音楽信号がミュート部２３を介してオーディオアンプ４０へ出力される。従って、スピーカ５０からは事前に音量調節部４１で調節しておいた所望音量の音楽が目覚まし代わりに流れる。再生中、ＣＤ再生部２２はＣＤ２１に記録されたサブコードを読み取りコントロール部２８へ出力している。コントロール部２８はＣＤ再生部２２から入力したサブコード中の絶対時間をＴＯＣ情報と照合することで最終曲の最後まで再生し終えたかチェックしたり（ステップＳ１８）、ストップキーの押圧によりストップ操作がされたかチェックしており（ステップＳ１９）、音楽を聞いて目覚めたユーザがストップキーを押圧し、ストップ操作をすれば、ＣＤ再生部２２を制御して再生動作を停止させるとともにミュート部２３へミュートオン制御信号を出力してミュートをオンさせる（ステップＳ１９でＹＥＳ、Ｓ２０、Ｓ２１）。更に、電源キーが押されれば、コントロール部２８はステップＳ２２でＹＥＳと判断し、電源オフ操作がされたとして電源開閉スイッチ２７を開成させる（ステップＳ２３）。
【００１１】
なお、予め、ユーザがタイマオンプレイスイッチ２５を開放して開成状態にしていた場合、Ｅが立ち上がったときタイマオンプレイスイッチ２５の出力はローレベルである。このとき、コントロール部２８はステップＳ１２でＮＯと判断し、電源キーの押圧を待つ。電源キーが押圧されると、電源オン操作がされたと判断し、電源開閉スイッチ２７に対し電源オン制御をして、スイッチを閉じさせ、ＣＤ再生部２２とミュート部２３にＥを給電させる（ステップＳ２４、Ｓ２５）。そして、プレイキーの押圧または電源キーの押圧を待ち（ステップＳ２６、Ｓ２２）、プレイキーが押圧されればプレイ操作がされたとしてステップＳ２６でＹＥＳと判断し、ステップＳ１４の側に進んで、ＣＤ再生部２２を制御し、ＣＤ２１を１曲目から順に再生させる（ステップＳ１５〜Ｓ１７）。
【００１２】
【発明が解決しようとする課題】
けれども、上記した従来のタイマオンプレイ機能では、ユーザの設定したタイマオン時間になって、タイマ１０からＣＤプレーヤ２０へのＡＣ１００Ｖの給電を受けてＣＤ２１が自動再生されるとき、常に１曲目の先頭から再生される。このとき、１曲目の初めの部分が音の大きな音楽であることがあり、ユーザは突然の大きな音にびっくりさせられるという問題があった。また、ＣＤ２１の最初の何曲かがいずれも静かな曲であったとき、音楽が鳴っていることに気付かないままになってしまうこともあった。
本発明は上記した従来技術の問題に鑑み、突然大きな音が出ないようにするとともに音楽が鳴っていることに確実に気付かせることのできる記録媒体再生装置を提供することを、その目的とする。
【課題を解決するための手段】
【００１３】
本発明の請求項１記載の記録媒体再生装置では、音楽信号と記録位置情報が多重記録された記録媒体の再生を行う再生手段と、外部から供給される電源の立ち上がりを検出する電源供給検出手段と、電源供給検出手段で外部から供給される電源の立ち上がりが検出されると、再生手段を制御し、記録媒体を再生させながら音の小さい音楽が記録された小音量記録区間と音の大きい音楽が記録された大音量記録区間を検索して記憶手段に記憶させたあと、記憶手段の記憶内容を参照してまず小音量記録区間の開始位置のサーチをさせ、サーチ後当該小音量記録区間の再生をさせながらオーディオ出力させたあと、次に大音量記録区間の開始位置のサーチをさせ、サーチ後当該大音量記録区間の再生をさせながらオーディオ出力させる再生制御手段と、を備えたことを特徴としている。
請求項１によれば、たとえば装置が外部から電源の供給を受けるタイマ側で時間がタイマ予約時間となって、電源が立ち上がると、記録媒体中の音の小さい音楽の記録区間と音の大きい音楽の記録区間の検索がなされたあと、まず、音の小さい音楽の記録区間の開始位置をサーチし、当該音の小さい音楽の記録区間の終了位置まで再生させながらオーディオ出力させる。次いで、音の大きい音楽の記録区間の開始位置をサーチし、当該音の大きい音楽の記録区間の終了位置まで再生させながらオーディオ出力させる。これにより、前半は小さな音の音楽が聞こえるので、ユーザは突然の大きな音でびっくりさせることなく音楽が流れ始めたのを知ることができ、就寝中であれば驚かずに自然に目覚めることかできる。若し、小さな音のため良く聞こえなかった場合でも後半は大きな音の音楽が聞こえるので確実に音楽が鳴っているのが分かり、就寝中であれば確実に目覚めることかできる。
本発明の請求項２では請求項１記載の装置において、自動再生モードのオン・オフ設定を行うスイッチ手段を設け、再生制御手段は、電源供給検出手段で外部から供給される電源の立ち上がりが検出されると、スイッチ手段で自動再生モードオン設定がされている場合に、再生手段を制御し、記録媒体を再生させながら音の小さい音楽が記録された小音量記録区間と音の大きい音楽が記録された大音量記録区間の検索をして記憶手段に記憶させたあと、記憶手段の記憶内容を参照してまず小音量記録区間の開始位置のサーチをさせ、サーチ後当該小音量記録区間の再生をさせながらオーディオ出力させたあと、次に大音量記録区間の開始位置のサーチをさせ、サーチ後当該大音量記録区間の再生をさせながらオーディオ出力させるようにしたこと、を特徴としている。
請求項２によれば、装置に外部から電源供給がされた場合にユーザが音の小さい音楽の再生と音の大きい音楽の再生を順に自動的に行わせたい場合、予め、自動再生モードオン設定しておけば良く、ユーザが外部から電源供給がされても自動再生させたくない場合、自動再生モードオフ設定しておけば良いので、利便性が増す。
本発明の請求項３記載の記録媒体再生装置では、音楽信号と記録位置情報が多重記録された記録媒体の再生を行う再生手段と、再生手段を制御し、記録媒体を再生させながら音の小さな音楽の記録された小音量記録区間と音の大きな音楽の記録された大音量記録区間の検索をして記憶手段に記憶させる検索制御手段と、レベル順再生の指令が与えられると、再生手段を制御し、記憶手段の記憶内容を参照してまず小音量記録区間の開始位置のサーチをさせ、サーチ後当該小音量記録区間の再生をさせながらオーディオ出力させたあと、次に大音量記録区間の開始位置のサーチをさせ、サーチ後当該大音量記録区間の再生をさせながらオーディオ出力させる再生制御手段と、を備えたことを特徴としている。
請求項３によれば、レベル順再生の指令が与えられると、まず、音の小さい音楽の記録された小音量記録区間の開始位置をサーチし、サーチ後当該小音量記録区間の終了位置まで再生させながらオーディオ出力させる。次いで、音の大きい音楽の記録された大音量記録区間の開始位置をサーチし、サーチ後当該小音量記録区間の終了位置まで再生させながらオーディオ出力させる。これにより、前半は小さな音の音楽が聞こえるので、ユーザは突然の大きな音でびっくりさせることなく任意の合図としての音楽が流れ始めたのを知ることができ、若し、音が小さいため音楽が流れていることに気付かなくても、後半は大きな音の音楽が聞こえるので確実に音楽が鳴っているのが分かる。
本発明の請求項４では請求項３記載の記録媒体再生装置において、計時を行う計時手段と、タイマ予約時間の設定を行うタイマ予約時間設定手段と、計時手段で計時した時間がタイマ予約時間設定手段で設定されたタイマ予約時間と一致したとき、レベル順再生の指令を発生して再生制御手段に与える指令発生手段と、を備えたことを特徴としている。
請求項４によれば、ユーザの予約した時間になると、前半は小さな音の音楽が聞こえるので、ユーザは突然の大きな音でびっくりさせることなく予約時間になったことを知ることができ、就寝中であれば驚かずに自然に目覚めることかできる。若し、音が小さいため音楽が流れていることに気付かなくても、後半は大きな音の音楽が聞こえるので確実に予約時間になったことを知ることができ、就寝中であれば確実に目覚めることかできる。
本発明の請求項５記載の記録媒体再生装置では、音楽信号と記録位置情報が多重記録された記録媒体の再生を行う再生手段と、外部から供給される電源の立ち上がりを検出する電源供給検出手段と、電源供給検出手段で外部から供給される電源の立ち上がりが検出されると、再生手段を制御し、記録媒体を再生させながら音の小さい音楽の記録位置と音の大きい音楽の記録位置の検索をして記憶手段に記憶させたあと、記憶手段の記憶内容を参照してまず音の小さい音楽の記録位置のサーチをさせ、サーチ後当該音の小さい音楽の記録位置から或る時間再生させながらオーディオ出力させたあと、次に音の大きい音楽の記録位置のサーチをさせ、サーチ後当該音の大きい音楽の記録位置から或る時間再生をさせながらオーディオ出力させる再生制御手段と、を備えたことを特徴としている。
請求項５によれば、たとえば装置が外部から電源の供給を受けるタイマ側で時刻がタイマ予約時間となり、電源が立ち上がると、記録媒体中の音の小さい音楽の記録位置と音の大きい音楽の記録位置の検索がなされたあと、まず、音の小さい音楽の記録位置をサーチし、サーチ後或る時間再生させながらオーディオ出力させる。次いで、音の大きい音楽の記録位置をサーチし、サーチ後或る時間再生させながらオーディオ出力させる。これにより、最初小さな音の音楽が聞こえるので、ユーザは突然の大きな音でびっくりさせることなく音楽が流れ始めたのを知ることができ、就寝中であれば驚かずに自然に目覚めることかできる。若し、小さな音のため良く聞こえなかった場合でも次に大きな音の音楽が聞こえるので確実に音楽が鳴っているのが分かり、就寝中であれば確実に目覚めることかできる。
本発明の請求項６では請求項５記載の装置において、自動再生モードのオン・オフ設定を行う設定手段を設け、再生制御手段は、電源供給検出手段で外部から供給される電源の立ち上がりが検出されると、設定手段で自動再生モードオン設定がされている場合に、再生手段を制御し、記録媒体を再生させながら音の小さい音楽の記録位置と音の大きい大きい音楽の記録位置の検索をして記憶手段に記憶させたあと、記憶手段の記憶内容を参照してまず音の小さい音楽の記録位置のサーチをさせ、サーチ後当該音の小さい音楽の記録位置から或る時間再生をさせながらオーディオ出力させたあと、次に音の大きい音楽の記録位置のサーチをさせ、サーチ後当該音の大きい記録位置から或る時間再生をさせながらオーディオ出力させるようにしたこと、を特徴としている。
請求項６によれば、装置に外部から電源供給がされた場合にユーザが音の小さい音楽の再生と音の大きい音楽の再生を順に自動的に行わせたい場合、予め、自動再生モードオン設定しておけば良く、ユーザが外部から電源供給がされても自動再生させたくない場合、自動再生モードオフ設定しておけば良いので、利便性が増す。
本発明の請求項７記載の記録媒体再生装置では、音楽信号と記録位置情報が多重記録された記録媒体の再生を行う再生手段と、再生手段を制御し、記録媒体を再生させながら音の小さい音楽の記録位置と音の大きい音楽の記録位置の検索をして記憶手段に記憶させる検索制御手段と、レベル順再生の指令が与えられると、再生手段を制御し、記憶手段の記憶内容を参照してまず音の小さい音楽の記録位置のサーチをさせ、サーチ後当該音の小さい記録位置から或る時間再生をさせながらオーディオ出力させたあと、次に音の大きい記録位置のサーチをさせ、サーチ後当該音の大きい記録位置から或る時間再生をさせながらオーディオ出力させる再生制御手段と、を備えたことを特徴としている。
請求項７によれば、レベル順再生の指令が与えられると、まず、音の小さい音楽の記録位置をサーチし、サーチ後或る時間再生させながらオーディオ出力させる。次いで、音の大きい音楽の記録位置をサーチし、サーチ後或る時間再生させながらオーディオ出力させる。これにより、最初小さな音の音楽が聞こえるので、ユーザは突然の大きな音でびっくりさせることなく任意の合図としての音楽が流れ始めたのを知ることができ、若し、音が小さいため音楽が流れていることに気付かなくても、次に大きな音の音楽が聞こえるので確実に音楽が鳴っているのが分かる。
本発明の請求項８記載の記録媒体再生装置では、計時を行う計時手段と、タイマ予約時間の設定を行うタイマ予約時間設定手段と、計時手段で計時した時間がタイマ予約時間設定手段で設定されたタイマ予約時間と一致したとき、レベル順再生の指令を発生して再生制御手段に与える指令発生手段と、を備えたことを特徴としている。
請求項８によれば、ユーザの予約した時間になると、最初小さな音の音楽が聞こえるので、ユーザは突然の大きな音でびっくりさせることなく予約時間になったことを知ることができ、就寝中であれば驚かずに自然に目覚めることかできる。若し、音が小さいため音楽が流れていることに気付かなくても、次に大きな音の音楽が聞こえるので確実に予約時間になったことを知ることができ、就寝中であれば確実に目覚めることかできる。
【００１４】
【発明の実施の形態】
図１は本発明の第１の実施の形態に係るオーディオシステムの構成を示すブロック図であり、図１２と同一の構成部分には同一の符号が付してある。
２０Ａはタイマ１０からＡＣ１００Ｖの電源供給を受けるＣＤプレーヤであり、この内、２９はＣＤ再生部２２から出力されるアナログ音楽信号を入力し、音楽信号レベルを検出して音楽信号レベル検出データＭＬＤを出力するレベル検出部、３０は音楽信号レベル検出データＭＬＤと、ＣＤ再生部２２から入力した絶対時間データＡＴＤの組データを４千組記憶する容量を持つ検索情報記憶部である（図２参照）。レベル検出部２９と検索情報記憶部３０には電源開閉スイッチ２７を介して直流安定化電源Ｅが給電される。
【００１５】
２８Ａはマイコン構成のコントロール部であり、キー操作部２４での電源キーの操作に従い電源開閉スイッチ２７に対する電源オン・オフ制御をしたり、プレイキーの操作に従いＣＤ再生部２２に対する再生制御とミュート部２３に対するミュートオン制御をしたり、ストップキーの操作に従いＣＤ再生部２２に対する再生停止制御とミュート部２３に対するミュートオフ制御をしたりする。また、コントロール部２８Ａは直流安定化電源Ｅが立ち上がるとパワーオンリセット動作をすることで、ＣＤプレーヤ２０Ａに外部から供給されているＡＣ１００Ｖの立ち上がりを検出する。そして、ＣＤプレーヤ２０Ａに外部から供給されているＡＣ１００Ｖの立ち上がりを検出すると、タイマオンプレイスイッチ２５が閉成状態に在り、レベル順再生指令としてのハイレベルのタイマオンプレイモード信号が入力されていれば、所定のタイマオンプレイ制御をしてまず、ＣＤ２１のプログラム領域を、飛び飛びに短時間ずつ再生させながら、各再生箇所での音楽信号レベルＭＬＤと記録位置を示すサブコード中の絶対時間データＡＴＤを組にして検索情報記憶部３０に記憶させることで音楽信号レベルと記録位置との関係を抽出をする。そして、ＣＤ２１のプログラム領域の最後まで音楽信号レベルと記録位置との関係の抽出が終わると、続いて、検索情報記憶部３０に記憶された全組データを対象にして、任意の曲のＴ１  の時間分の任意の再生区間で見て平均的な音楽信号レベルが最小となっている最小音量記録区間ＰＱの記録開始絶対時間ＰＱ（ＳＴ）と記録終了絶対時間ＰＱ（ＥＤ）を検索して内蔵メモリ（図示せず）に記憶する。また、任意の曲のＴ２  の時間分の任意の再生区間で見て平均的な音楽信号レベルが最大となっている最大音量記録区間ＰＲの記録開始絶対時間ＰＲ（ＳＴ）と記録終了絶対時間ＰＲ（ＥＤ）を検索して内蔵メモリ（図示せず）に記憶する。このあと、ＣＤ再生部２２とミュート部２３を制御し、最初に最小音量記録区間ＰＱを再生させてオーディオ出力させ、続いて最大音量記録区間ＰＲを再生させてオーディオ出力させる。
図１のオーディオシステムのその他の構成部分は図１２と全く同様に構成されてている。
【００１６】
図３〜図５はＣＤプレーヤ２０Ａのコントロール部２８Ａの制御処理を示すフローチャート、図６は最小音量記録区間の検索方法の説明図、図７は最大音量記録区間の検索方法の説明図であり、以下、これらの図を参照してタイマオンプレイ動作を説明する。
なお、予め、タイマ１０でユーザによりタイマオン予約設定時間としてＡＭ６時３０分が設定してあるものとする。オーディオアンプ４０は電源スイッチ４３が押圧されて閉成しており、また音量調節部４１ではユーザにより適当な音量に調節済であるとする。また、ＣＤプレーヤ２０Ａのタイマオンプレイスイッチ２５が押圧されてタイマオンプレイモードオンを示す閉成状態となっているものとし、電源開閉スイッチ２７は開状態となっているものとする。
【００１７】
タイマ１０は内蔵時計（図示せず）での計時時間がＡＭ６時３０分になる前は２つの出力系統ともＡＣ１００Ｖの出力をオフしている。このとき、ＣＤプレーヤ２０Ａとオーディオアンプ４０は稼働を停止している。その後、タイマ１０の内蔵時計での計時時間がＡＭ６時３０分になるとタイマ１０はＡＣ１００Ｖを出力する。オーディオアンプ４０ではタイマ１０から給電されたＡＣ１００Ｖが電源スイッチ４３を経て電源部４４に供給され、該電源部４４から直流安定化電源Ｖと直流非安定化電源Ｖ´が生成され、前者が音量調節部４１に供給され、後者が電力増幅部４２に供給されて稼働状態となる。
【００１８】
一方、ＣＤプレーヤ２０Ａではタイマ１０から給電されたＡＣ１００Ｖが電源部２６に供給され、該電源部２６から直流安定化電源Ｅがキー操作部２４、コントロール部２８Ａ、タイマオンプレイスイッチ２５、電源開閉スイッチ２７に供給される。この内、タイマオンプレイスイッチ２５は予め閉成状態となっているのでレベル順自動再生指令としてのハイレベルのタイマオンプレイモード信号を出力する。コントロール部２８Ａは直流安定化電源Ｅの給電を受けて稼働を開始し、最初に所定のパワーオンリセット動作を行う（図３のステップＳ３０）。このパワーオンリセット動作は外部からＣＤプレーヤ２０Ａに供給されているＡＣ１００Ｖの立ち上がりを検出したことも意味する。ステップＳ３０に続いてミュート部２３に対しミュートオン制御信号を出力し、ミュート部２３に電源が供給されても出力が無音状態となるようにさせる（ステップＳ３１）。次に、タイマオンプレイスイッチ２５の出力をチェックし、レベル順再生指令としてのハイレベルのタイマオンプレイモード信号が出力されているかチェックする（ステップＳ３２）。
【００１９】
若し、ステップＳ３２でＮＯであれば、図５のステップＳ７０へ進み、ユーザによる電源オン操作を待つがここではＹＥＳとなるので、電源開閉スイッチ２７に対し電源オン制御をして、スイッチを閉じさせ、ＣＤ再生部２２とミュート部２３にＥを給電させる（ステップＳ３３）。そして、ＣＤ再生部２２に対しまずＴＯＣ情報の読み取り制御をし、ＣＤ２１のリードイン領域のＴＯＣ情報を読み取らせて入力し、内蔵メモリ（図示せず）に記憶し（ステップＳ３４）、このＴＯＣ情報を参照してＣＤ再生部２２を制御をして１曲目の記録開始位置をサーチさせ（ステップＳ３５）、サーチ完了後、当該１曲目の記録開始位置からΔＴ（ここではたとえばΔＴ＝０．３秒とする）の時間分だけ再生させる（ステップＳ３６）。再生中、ＣＤ再生部２２はＣＤ２１からサブコードを読み取り、コントロール部２８Ａに出力している。また、ＣＤ再生部２２から出力されたアナログ音楽信号がレベル検出部２９に入力されて音楽信号レベルが検出され、ディジタルの音楽信号レベルデータＭＬＤが出力される。コントロール部２８ＡはΔＴの再生時間の最後でレベル検出部２９から出力されたＭＬＤと、ＣＤ再生部２２から出力されたサブコード中のトラックナンバデータｍ、絶対時間データＡＴＤを入力し、検索情報記憶部３０に最初の組データＭＬＤｍ０、ＡＴＤｍ０として記憶させる（ステップＳ３６。図２参照）。
【００２０】
そして、今回入力した絶対時間データＡＴＤ（＝ＡＴＤ０  ）をＴＯＣ情報と照合することでＣＤ２１のプログラム領域の最後まで再生が終わったかチェックし（ステップＳ３７）、若しＹＥＳであればステップＳ４０以降へ進むがここではＮＯなので、コントロール部２８ＡはＣＤ再生部２２を制御し、光ピックアップの読み取り位置をディスク外周方向へｎ（ｎは例えば百〜数百）本分だけトラックジャンプさせたのち（ステップＳ３８）、ＣＤ再生部２２によりサブコードを読み取らせて現在位置を示す絶対時間データＡＴＤを入力し、ＴＯＣ情報と照合することでＣＤ２１のプログラム領域を越えたかチェックする（ステップＳ３９）。若しＹＥＳであればステップＳ４０以降へ進むがここではＮＯなので、ステップＳ３６に戻り、ＣＤ再生部２２を制御をして現在位置からΔＴの時間分だけ再生させる。コントロール部２８ＡはΔＴの再生時間の最後でレベル検出部２９から出力されたＭＬＤと、ＣＤ再生部２２から出力されたサブコード中のトラックナンバデータｍ及び絶対時間データＡＴＤを入力し、検索情報記憶部３０に２番目の組データＭＬＤｍ１、ＡＴＤｍ１として記憶させる（ステップＳ３６。図２参照）。
【００２１】
以下、同様にして、ｎ本分のトラックジャンプと、ΔＴの時間分の再生をしながらの音楽信号レベルと再生位置の検出動作を繰り返させ、得られた音楽信号レベルデータＭＬＤｍｉ、絶対時間データＡＴＤｍｉの組データを検索情報記憶部３０に順に記憶させていく（ｍ＝１、２、・・、ｉ＝０、１、２、・・）。そして、ステップＳ３７またはＳ３９でＹＥＳとなった所で、一連の音楽信号レベルと記録位置との関係の検出処理を終える。そして、検索情報記憶部３０の記憶内容を参照して、検索情報記憶部３０に記憶された全組データを対象にして、任意の曲の任意の場所でのＴ１  （ここでは一例として２０秒）の時間分の再生時間の期間で見て平均的な音楽信号レベルが最小となっている最小音量記録区間ＰＱの開始位置（絶対時間）ＰＱ（ＳＴ）と終了位置（絶対時間）ＰＱ（ＥＤ）を検索してコントロール部２８Ａの内蔵メモリ（図示せず）に記憶する（ステップＳ４０）。また、任意の曲の任意の場所でのＴ２  （ここでは一例として２５秒）の時間分の再生時間の期間で見て平均的な音楽信号レベルが最大となっている最大音量記録区間ＰＲの開始位置（絶対時間）ＰＲ（ＳＴ）と終了位置（絶対時間）ＰＲ（ＥＤ）を検索してコントロール部２８Ａの内蔵メモリ（図示せず）に記憶する（ステップＳ４１）。
【００２２】
具体的には、１曲目の音楽信号レベルと検索情報記憶部３０に記憶された組データが図６（１）の如く関係に在るとして、１曲目の内、ＡＴＤ１０から再生時間で見て２０秒間の中にＡＴＤ１ｉまで入っていれば、ＭＬＤ１０〜ＭＬＤ１ｉまでの平均音楽信号レベルをＡ１０とし、ＡＴＤ１１から再生時間で見て２０秒間の中にＡＴＤ１ｉ＋１まで入っていれば、ＭＬＤ１１〜ＭＬＤ１ｉ＋１までの平均音楽信号レベルをＡ１１とし、ＡＴＤ１２から再生時間で見て２０秒間の中にＡＴＤ１ｉ＋３まで入っていれば、ＭＬＤ１２〜ＭＬＤ１ｉ＋３までの平均音楽信号レベルをＡ１２とするという具合にして、１曲目の中で種々の２０秒間分の再生時間の期間で見た平均的な音楽信号レベルＡ１０、Ａ１１、Ａ１２、・・Ａ１Ｅを計算する。
【００２３】
同様にして、２曲目の音楽信号レベルと検索情報記憶部３０に記憶された組データが図６（２）の如く関係に在るとして、２曲目の内、ＡＴＤ２０から再生時間で見て２０秒間の中にＡＴＤ２ｊまで入っていれば、ＭＬＤ２０〜ＭＬＤ２ｊまでの平均音楽信号レベルをＡ２０とし、ＡＴＤ２１から再生時間で見て２０秒間の中にＡＴＤ２ｊ＋１まで入っていれば、ＭＬＤ２１〜ＭＬＤ２ｊ＋１までの平均音楽信号レベルをＡ２１とし、ＡＴＤ２２から再生時間で見て２０秒間の中にＡＴＤ２ｊ＋３まで入っていれば、ＭＬＤ２２〜ＭＬＤ２ｊ＋３までの平均音楽信号レベルをＡ２２とするという具合にして、２曲目の中で種々の２０秒間分の再生時間の期間で見た平均的な音楽信号レベルＡ２０、Ａ２１、Ａ２２、・・Ａ２Ｆを計算する。
以下、同様にして３曲目以降についても、曲の任意箇所の２０秒間分の再生時間の期間での平均音楽信号レベルＡ３０、Ａ３１、・・、Ａ４０、Ａ４１、・・を求める。そして、これら全ての平均音楽信号レベルの中で最も小さいものがＡｗｈであったとき、ＰＱ（ＳＴ）＝ＡＴＤＷｈ、ＰＱ（ＥＤ）＝ＡＴＤＷｈ＋２０秒となる。
【００２４】
また、１曲目の音楽信号レベルと検索情報記憶部３０に記憶された組データが図７（１）の如く関係に在るとして、１曲目の内、ＡＴＤ１０から再生時間で見て２５秒間の中にＡＴＤ１ｕまで入っていれば、ＭＬＤ１０〜ＭＬＤ１ｕまでの平均音楽信号レベルをＢ１０とし、ＡＴＤ１１から再生時間で見て２５秒間の中にＡＴＤ１ｕ＋１まで入っていれば、ＭＬＤ１１〜ＭＬＤ１ｕ＋１までの平均音楽信号レベルをＢ１１とし、ＡＴＤ１２から再生時間で見て２５秒間の中にＡＴＤ１ｕ＋３まで入っていれば、ＭＬＤ１２〜ＭＬＤ１ｕ＋３までの平均音楽信号レベルをＢ１２とするという具合にして、１曲目の中で種々の２５秒間分の再生時間の期間で見た平均的な音楽信号レベルＢ１０、Ｂ１１、Ｂ１２、・・Ｂ１Ｘを計算する。
【００２５】
同様にして、２曲目の音楽信号レベルと検索情報記憶部３０に記憶された組データが図７（２）の如く関係に在るとして、２曲目の内、ＡＴＤ２０から再生時間で見て２５秒間の中にＡＴＤ２ｖまで入っていれば、ＭＬＤ２０〜ＭＬＤ２ｖまでの平均音楽信号レベルをＢ２０とし、ＡＴＤ２１から再生時間で見て２５秒間の中にＡＴＤ２ｖ＋１まで入っていれば、ＭＬＤ２１〜ＭＬＤ２ｖ＋１までの平均音楽信号レベルをＢ２１とし、ＡＴＤ２２から再生時間で見て２５秒間の中にＡＴＤ２ｖ＋３まで入っていれば、ＭＬＤ２２〜ＭＬＤ２ｖ＋３までの平均音楽信号レベルをＢ２２とするという具合にして、２曲目の中で種々の２５秒間分の再生時間の期間で見た平均的な音楽信号レベルＢ２０、Ｂ２１、Ｂ２２、・・Ｂ２Ｙを計算する。
以下、同様にして３曲目以降についても、曲の任意箇所の２５秒間分の再生時間の期間での平均音楽信号レベルＢ３０、Ｂ３１、・・、Ｂ４０、Ｂ４１、・・を求める。そして、これら全ての平均音楽信号レベルの中で最も小さいものがＢｄｇであったとき、ＰＲ（ＳＴ）＝ＡＴＤｄｇ、ＰＲ（ＥＤ）＝ＡＴＤｄｇ＋２５秒となる。
【００２６】
このようにして、ＣＤ２１の中で、Ｔ１  ＝２０秒間の再生時間の期間で見た最小音量区間ＰＱとＴ２  ＝２５秒間の再生時間の期間で見た最大音量区間ＰＲを求めたら、コントロール部２８Ａは次に図４のフローに進み、ＣＤ再生部２２を制御し、ＣＤ２１の絶対時間がＰＱ（ＳＴ）の記録位置をサーチさせ（ステップＳ５０）、サーチ完了後、ミュート部２３に対しミュートオフ制御信号を出力してミュートを解除さ０たのちＰＱ（ＳＴ）から再生を開始させる（ステップＳ５１、Ｓ５２）。この結果、ＣＤ再生部２２はＣＤ２１から再生したアナログ音楽信号を出力し、該アナログ音楽信号がミュート部２３を介してオーディオアンプ４０へ出力される。従って、スピーカ５０からはまず音の小さな音楽が目覚まし代わりに流れることになり、突然の大きな音で驚かされることはない。
【００２７】
再生中、ＣＤ再生部２２はＣＤ２１に記録されたサブコードを読み取りコントロール部２８Ａへ出力している。コントロール部２８ＡはＣＤ再生部２２から入力したサブコード中の絶対時間をＰＱ（ＥＤ）と照合することでＰＱ（ＥＤ）まで再生し終えたかチェックしたり（ステップＳ５３）、ストップキーの押圧によりストップ操作がされたかチェックしており（ステップＳ５４）、音楽を聞いて目覚めたユーザがストップキーを押圧し、ストップ操作をすれば、ＣＤ再生部２２を制御して再生動作を停止させるとともにミュート部２３へミュートオン制御信号を出力してミュートをオンさせる（ステップＳ５４でＹＥＳ、Ｓ６１、Ｓ６２）。更に、電源キーが押されれば、コントロール部２８Ａは図５のステップＳ８１でＹＥＳと判断し、電源オフ操作がされたとして電源開閉スイッチ２７を開かせる（ステップＳ８２）。
【００２８】
若し、音の小さな音楽では目が覚めず、ストップキーの押圧をしなかった場合、２０秒間だけ音の小さな音楽が流れた所でコントロール部２８ＡはステップＳ５３でＹＥＳと判断する。このとき、一旦、ミュートオン制御信号を出力してミュートをオンしたのち（ステップＳ５５）、ＣＤ再生部２２を制御し、ＣＤ２１の絶対時間がＰＲ（ＳＴ）の記録位置をサーチさせ（ステップＳ５６）、サーチ完了後、ミュート部２３に対しミュートオフ制御信号を出力してミュートを解除させたのちＰＲ（ＳＴ）から再生を開始させる（ステップＳ５７、Ｓ５８）。この結果、ＣＤ再生部２２はＣＤ２１から再生したアナログ音楽信号を出力し、該アナログ音楽信号がミュート部２３を介してオーディオアンプ４０へ出力される。従って、スピーカ５０からは最大で２５秒間、音の大きな音楽が目覚まし代わりに流れることになり、今度は確実に目覚めることができる。
【００２９】
再生中、コントロール部２８ＡはＰＲ（ＥＤ）まで再生し終えたかチェックしたり（ステップＳ５９）、ストップキーの押圧によりストップ操作がされたかチェックしており（ステップＳ６０）、音楽を聞いて目覚めたユーザがストップキーを押圧し、ストップ操作をすれば、ＣＤ再生部２２を制御して再生動作を停止させるとともにミュート部２３へミュートオン制御信号を出力してミュートをオンさせる（ステップＳ６０でＹＥＳ、Ｓ６１、Ｓ６２）。更に、電源キーが押されれば、コントロール部２８Ａは図５のステップＳ８１でＹＥＳと判断し、電源オフ操作がされたとして電源開閉スイッチ２７を開かせる（ステップＳ８２）。
【００３０】
なお、予め、ユーザがタイマオンプレイスイッチ２５を開放して開成状態にしていた場合、Ｅが立ち上がったときタイマオンプレイスイッチ２５の出力はローレベルである。このとき、コントロール部２８Ａは図３のステップＳ３２でＮＯと判断し、図５のフローに進み電源キーの押圧を待つ（ステップＳ７０）。電源キーが押圧されると、電源オン操作がされたと判断し、電源開閉スイッチ２７に対し電源オン制御をして、スイッチを閉じさせ、ＣＤ再生部２２とミュート部２３にＥを給電させる（ステップＳ７０、Ｓ７１）。そして、プレイキーの押圧または電源キーの押圧を待ち（ステップＳ７２、Ｓ８０）、プレイキーが押圧されればプレイ操作がされたとしてステップＳ７２でＹＥＳと判断し、ＣＤ再生部２２にＣＤ２１のリードイン領域のＴＯＣ情報を読み取らせて入力し、内蔵メモリ（図示せず）に記憶し（ステップＳ７３）、このＴＯＣ情報を参照してＣＤ再生部２２を制御をして１曲目の記録開始位置をサーチさせ（ステップＳ７４）、サーチ完了後、ミュート部２３に対しミュートオフ制御信号を出力してミュートを解除し（ステップＳ７５）、当該１曲目の記録開始位置から再生を開始させる（ステップＳ７６）。
【００３１】
この結果、ＣＤ２１の１曲目の音楽から順にスピーカ４０から聞こえる。再生中、コントロール部２８Ａは最終曲の最後まで再生し終えたかチェックしたり（ステップＳ７７）、ストップキーの押圧によりストップ操作がされたかチェックしており（ステップＳ７８）、ユーザがストップキーを押圧し、ストップ操作をすれば、ＣＤ再生部２２を制御して再生動作を停止させるとともにミュート部２３へミュートオン制御信号を出力してミュートをオンさせる（ステップＳ７８でＹＥＳ、Ｓ７９、Ｓ８０）。更に、電源キーが押されれば、コントロール部２８ＡはステップＳ８１でＹＥＳと判断し、電源オフ操作がされたとして電源開閉スイッチ２７を開かせる（ステップＳ８２）。
【００３２】
この実施の形態によれば、ユーザがＣＤプレーヤ２０Ａを目覚まし代わりに使用するため、予め、タイマオンプレイスイッチ２５を押圧して閉成状態とし、タイマオンプレイモードに設定していると、タイマ１０の側で時間がタイマオン予約時間に一致し、ＡＣ１００ＶがＣＤプレーヤ２０Ａに供給されると、電源部２６の出力する直流安定化電源Ｅが立ち上がり、コントロール部２８Ａはパワーオンリセット動作をすることで、ＣＤプレーヤ２０Ａに外部から供給されたＡＣ１００Ｖの立ち上がりを検出する。ＣＤプレーヤ２０Ａに外部から供給されたＡＣ１００Ｖの立ち上がりを検出後、レベル順再生指令としてのハイレベルのタイマオンプレイモード信号が入力されているので、コントロール部２８ＡはＣＤ再生部２２を制御し、ＣＤ２１のプログラム領域全体を飛び飛びに短時間ずつ再生させながら、各再生箇所での音楽信号レベルと記録位置との関係を検出して検索情報記憶部３０に記憶させていく。そして、検索情報記憶部３０の記憶内容を参照して、任意の曲のＴ１  （ここでは２０秒）の時間分の任意の再生時間の区間で見て平均的な音楽信号レベルが最小となっている最小音量記録区間ＰＱの記録開始絶対時間ＰＱ（ＳＴ）と記録終了絶対時間ＰＱ（ＥＤ）を検索して内蔵メモリ（図示せず）に記憶する。また、任意の曲のＴ２  （ここでは２５秒）の時間分の任意の再生時間の区間で見て平均的な音楽信号レベルが最大となっている最大音量記録区間ＰＲの記録開始絶対時間ＰＲ（ＳＴ）と記録終了絶対時間ＰＲ（ＥＤ）を検索してコントロール部２８Ａの内蔵メモリ（図示せず）に記憶する。このあと、ＣＤ再生部２２とミュート部２３を制御し、最初に最小音量記録区間ＰＱを再生させてオーディオ出力させ、続いて最大音量記録区間ＰＲを再生させてオーディオ出力させる。これにより、前半はスピーカ５０から音の小さな音楽が目覚ましの合図として流れることになり、突然の大きな音で驚かされることなく目を覚ますことができる。若し、音の小さな音楽で目が覚めなくても、後半には音の大きな音楽が目覚ましの合図として流れるので、今度は確実に目覚めることができる。
【００３３】
なお、上記した実施の形態では、図３のステップＳ４０、Ｓ４１におけるＴ１  ＝２０秒、Ｔ２  ＝２５秒として説明したが、Ｔ１  ＝Ｔ２  ＝２０秒としたり、Ｔ１  ＝２５秒、Ｔ２  ＝１０秒などとしても良い。また、コントロール部２８Ａは図３のステップＳ４０、Ｓ４１、図４のステップＳ５０〜Ｓ６２において、検索情報記憶部３０の記憶内容を参照して、ＣＤ２１の中で、任意の曲の任意の場所のＴ１  の時間の再生区間で見て平均的な音楽信号レベルが最小となっている最小音量記録区間ＰＱと、ＣＤ２１の中で、任意の曲の任意の場所のＴ２  の時間分の再生区間で見て平均的な音楽信号レベルが最大となっている最大音量記録区間ＰＲを検索しておき、先にＰＱの区間を再生し、続いてＰＲの区間を再生することでレベル順再生を行うようにしたが、これと異なり、次のようにしても良い。すなわち、ＣＤ２１の中で各曲の最後のＴ１  の区間に入るものを除く音楽信号レベルデータＭＬＤｉｊの中で、最小のものＭＬＤａｂに対応する絶対時間データＡＴＤａｂを検索し、音楽信号レベルが最小の記録位置ＰＱ（ＳＴ）´とする。そして、ＰＱ（ＥＤ）´＝ＰＱ（ＳＴ）´＋Ｔ１  とし、ＰＱ（ＳＴ）´からＰＱ（ＥＤ）´までを第１記録区間ＰＱ´とする。また、ＣＤ２１の中で各曲の最後のＴ２  の区間に入るものを除く音楽信号レベルデータＭＬＤｉｊの中で、最大の音楽信号レベルデータＭＬＤｃｄに対応する絶対時間データＡＴＤｃｄを検索し、音楽信号レベルが最大の記録位置ＰＲ（ＳＴ）´とする。そして、ＰＲ（ＥＤ）´＝ＰＲ（ＳＴ）´＋Ｔ２  とし、ＰＲ（ＳＴ）´からＰＲ（ＥＤ）´までを第２記録区間ＰＲ´とする。そして、ＣＤ再生部２２とミュート部２３を制御し、先に第１記録区間ＰＱ´を再生させてオーディオ出力させ、続いて第２記録区間ＰＲ´を再生させてオーディオ出力させるようにしても良い。
このようにしても、音楽信号レベルが最小の記録位置から暫くは音の小さな音楽が記録されている確率が高く、音楽信号レベルが最大の記録位置から暫くは音の大きな音楽が記録されている確率が高く、最初はスピーカ５０から音の小さな音楽が目覚ましの合図として流れることになり、突然の大きな音で驚かされることなく目を覚ますことができる。若し、音の小さな音楽で目が覚めなくても、後半には音の大きな音楽が目覚ましの合図として流れるので、今度は確実に目覚めることができる。
また、最大音量記録区間ＰＲ（または第２記録区間ＰＲ´）の終了位置はＣＤ２１のプログラム領域の最後の位置としても良い。
【００３４】
図８は本発明の第２の実施の形態に係るオーディオシステムの構成を示すブロック図であり、図１と同一の構成部分には同一の符号が付してある。
２０ＢはＣＤプレーヤであり、この内、３１は時間（ここでは日時）の計時を行う計時部であり、該計時部３１には電源部２６から常時、直流安定化電源Ｅが給電されている。２４Ｂはキー操作部であり、電源キー、プレイキー、ストップキーのほか、タイマ予約モードのオン・オフを行うタイマキー、タイマ予約時間（再生予約時間。ここでは日時）の設定操作を行うタイマ予約時間設定キーを有している。２８Ｂはマイコン構成のコントロール部であり、キー操作部２４Ｂでの電源キーの操作に従い電源開閉スイッチ２７に対する電源オン・オフ制御をしたり、プレイキーの操作に従いＣＤ再生部２２に対する再生制御とミュート部２３に対するミュートオン制御をしたり、ストップキーの操作に従いＣＤ再生部２２に対する再生停止制御とミュート部２３に対するミュートオフ制御をしたりする。
【００３５】
また、コントロール部２８Ｂはタイマ予約モードがオンされてタイマ予約時間の設定操作がされると、ＣＤ２１のプログラム領域を、飛び飛びに短時間ずつ再生させながら、各再生箇所での音楽信号レベルＭＬＤと記録位置を示すサブコード中の絶対時間データＡＴＤを組にして検索情報記憶部３０に記憶させることで音楽信号レベルと記録位置との関係を抽出する。そして、ＣＤ２１の最後まで音楽信号レベルと記録位置との関係の抽出が終わると、続いて、検索情報記憶部３０に記憶された全組データを対象にして、任意の曲のＴ１  の時間分の任意の再生時間の区間で見て平均的な音楽信号レベルが最小となっている最小音量記録区間ＰＱの記録開始絶対時間ＰＱ（ＳＴ）と記録終了絶対時間ＰＱ（ＥＤ）を検索して内蔵メモリ（図示せず）に記憶する。また、任意の曲のＴ２  の時間分の任意の再生時間の区間で見て平均的な音楽信号レベルが最大となっている最大音量記録区間ＰＲの記録開始絶対時間ＰＲ（ＳＴ）と記録終了絶対時間ＰＲ（ＥＤ）を検索して内蔵メモリ（図示せず）に記憶する。この後、計時部３１で計時している日時を監視し、タイマ予約時間と一致すると、所定のタイマ予約プレイ制御をする。すなわち、ＣＤ再生部２２とミュート部２３を制御し、最初に最小音量記録区間ＰＱを再生させてオーディオ出力させ、続いて最大音量記録区間ＰＲを再生させてオーディオ出力させる。
図８のオーディオシステムのその他の構成部分は図１と全く同様に構成されてている。
【００３６】
図９〜図１１はＣＤプレーヤ２０Ｂのコントロール部２８Ｂの制御処理を示すフローチャートであり、以下、これらの図を参照してタイマ予約プレイ動作を説明する。
なお、予め、ＣＤプレーヤ２０Ｂには外部からＡＣ１００Ｖが供給されており、パワーオンリセット動作とミュートオン制御が終了した状態にあるものとする（図９のステップＳ９０、Ｓ９１）。また、オーディオアンプ４０にも外部からＡＣ１００Ｖが供給されているものとし、オーディオアンプ４０は電源スイッチ４３が押圧されて閉成しており、音量調節部４１ではユーザにより適当な音量に調節済であるとする。但し、ＣＤプレーヤ２０Ｂは電源がオフしており電源開閉スイッチ２７は開状態となっているものとする。
【００３７】
ＣＤプレーヤ２０Ｂの計時部３１は常時、日時の計時を行い日時データをコントロール部２８Ｂに出力している。ユーザがタイマ予約キーを押圧すると、コントロール部２８Ｂはタイマ予約モードをオンし（ステップＳ９２、Ｓ９３）、続いて時間設定キーでタイマ予約時間の設定操作をすると内蔵メモリ（図示せず）にタイマ予約時間ＴＭとして登録する（ステップＳ９４、Ｓ９５）。このあと、コントロール部２８Ｂは電源開閉スイッチ２７に対し電源オン制御をして、スイッチを閉じさせ、ＣＤ再生部２２とミュート部２３にＥを給電させる（ステップＳ９６）。そして、ＣＤ再生部２２に対しまずＴＯＣ情報の読み取り制御をし、ＣＤ２１のリードイン領域のＴＯＣ情報を読み取らせて入力し、内蔵メモリ（図示せず）に記憶し（ステップＳ９７）、このＴＯＣ情報を参照してＣＤ再生部２２を制御をして１曲目の記録開始位置をサーチさせ（ステップＳ９８）、サーチ完了後、当該１曲目の記録開始位置からΔＴ（ここではたとえばΔＴ＝０．３秒とする）の時間分だけ再生させる（ステップＳ９９）。再生中、ＣＤ再生部２２はＣＤ２１からサブコードを読み取り、コントロール部２８Ｂに出力している。また、ＣＤ再生部２２から出力されたアナログ音楽信号がレベル検出部２９に入力されて音楽信号レベルが検出され、ディジタルの音楽信号レベルデータＭＬＤが出力される。コントロール部２８ＢはΔＴの再生時間の最後でレベル検出部２９から出力されたＭＬＤと、ＣＤ再生部２２から出力されたサブコード中のトラックナンバデータｍ、絶対時間データＡＴＤを入力し、検索情報記憶部３０に最初の組データＭＬＤｍ０、ＡＴＤｍ０として記憶させる（ステップＳ９９。図２参照）。
【００３８】
そして、今回入力した絶対時間データＡＴＤ（＝ＡＴＤ０  ）をＴＯＣ情報と照合することでＣＤ２１のプログラム領域の最後まで再生が終わったかチェックし（ステップＳ１００）、若しＹＥＳであればステップＳ１０３以降へ進むがここではＮＯなので、コントロール部２８ＢはＣＤ再生部２２を制御し、光ピックアップの読み取り位置をディスク外周方向へｎ（ｎは例えば百〜数百）本分だけトラックジャンプさせたのち（ステップＳ１０１）、ＣＤ再生部２２によりサブコードを読み取らせて現在位置を示す絶対時間データＡＴＤを入力し、ＴＯＣ情報と照合することでＣＤ２１のプログラム領域を越えたかチェックする（ステップＳ１０２）。若しＹＥＳであればステップＳ１０３以降へ進むがここではＮＯなので、ステップＳ９９に戻り、ＣＤ再生部２２を制御をして現在位置からΔＴの時間分だけ再生させる。コントロール部２８ＢはΔＴの再生時間の最後でレベル検出部２９から出力されたＭＬＤと、ＣＤ再生部２２から出力されたサブコード中のトラックナンバデータｍ及び絶対時間データＡＴＤを入力し、検索情報記憶部３０に２番目の組データＭＬＤｍ１、ＡＴＤｍ１として記憶させる（図２参照）。
【００３９】
以下、同様にして、ｎ本分のトラックジャンプと、ΔＴの時間分の再生をしながらの音楽信号レベルと再生位置の検出動作を繰り返させ、得られた音楽信号レベルデータＭＬＤｍｉ、絶対時間データＡＴＤｍｉの組データを検索情報記憶部３０に順に記憶させていく（ｍ＝１、２、・・、ｉ＝０、１、２、・・）。そして、ステップＳ１００またはＳ１０２でＹＥＳとなった所で、一連の音楽信号レベルと記録位置との関係の検出処理を終える。そして、検索情報記憶部３０の記憶内容を参照して、検索情報記憶部３０に記憶された全組データを対象にして、任意の曲の任意の場所でのＴ１  （ここでは一例として１５秒）の時間分の再生時間の期間で見て平均的な音楽信号レベルが最小となっている最小音量記録区間ＰＱの開始位置（絶対時間）ＰＱ（ＳＴ）と終了位置（絶対時間）ＰＱ（ＥＤ）を検索して内蔵メモリ（図示せず）に記憶する（ステップＳ１０３。図６参照）。また、任意の曲の任意の場所でのＴ２  （ここでは一例として２０秒）の時間分の再生時間の期間で見て平均的な音楽信号レベルが最大となっている最大音量記録区間ＰＲの開始位置（絶対時間）ＰＲ（ＳＴ）と終了位置（絶対時間）ＰＲ（ＥＤ）を検索して内蔵メモリ（図示せず）に記憶する（ステップＳ１０４。図７参照）。
【００４０】
このようにして、ＣＤ２１の中で、Ｔ１  ＝１５秒間の再生時間の期間で見た最小音量区間ＰＱとＴ２  ＝２０秒間の再生時間の期間で見た最大音量区間ＰＲを求めたら、コントロール部２８Ｂは図１０のフローに進み、電源開閉スイッチ２７に対し電源オフ制御をしてスイッチを開いておく（ステップＳ１１０）。そして、計時部３１から入力された現在の日時データを監視し、先に登録したタイマ予約時間ＴＭと一致したかチェックしたり（ステップＳ１１１）、タイマ予約キーが押圧されたかチェックする（ステップＳ１１２）。タイマ予約キーが押圧されたときはタイマ予約モードをオフするが（ステップＳ１１３）、タイマ予約キーが押圧されることなく現在の日時がＴＭに一致するとステップＳ１１１でＹＥＳと判断し、電源開閉スイッチ２７に対し電源オン制御をしてスイッチを閉じさせ（ステップＳ１１４）、ＣＤ再生部２２を制御し、ＣＤ２１の絶対時間がＰＱ（ＳＴ）の記録位置をサーチさせ（ステップＳ１１５）、サーチ完了後、ミュート部２３に対しミュートオフ制御信号を出力してミュートを解除させたのちＰＱ（ＳＴ）から再生を開始させる（ステップＳ１１６、Ｓ１１７）。この結果、ＣＤ再生部２２はＣＤ２１から再生したアナログ音楽信号を出力し、該アナログ音楽信号がミュート部２３を介してオーディオアンプ４０へ出力される。従って、スピーカ５０からはまず音の小さな音楽が目覚まし代わりに流れることになり、突然の大きな音で驚かされることはない。
【００４１】
再生中、ＣＤ再生部２２はＣＤ２１に記録されたサブコードを読み取りコントロール部２８Ｂへ出力している。コントロール部２８ＢはＣＤ再生部２２から入力したサブコード中の絶対時間をＰＱ（ＥＤ）と照合することでＰＱ（ＥＤ）まで再生し終えたかチェックしたり（ステップＳ１１８）、ストップキーの押圧によりストップ操作がされたかチェックしており（ステップＳ１１９）、音楽を聞いて目覚めたユーザがストップキーを押圧し、ストップ操作をすれば、ＣＤ再生部２２を制御して再生動作を停止させるとともにミュート部２３へミュートオン制御信号を出力してミュートをオンさせる（ステップＳ１１９でＹＥＳ、Ｓ１２６、Ｓ１２７）。更に、電源キーが押されれば、コントロール部２８Ｂは図１１のステップＳ１４１でＹＥＳと判断し、電源開閉スイッチ２７に対し電源オフ制御をしてスイッチを開かせる（ステップＳ１４２）。
【００４２】
若し、音の小さな音楽では目が覚めず、ストップキーの押圧をしなかった場合、１５秒間だけ音の小さな音楽が流れた所でコントロール部２８ＢはステップＳ１１８でＹＥＳと判断する。このとき、一旦、ミュートオン制御信号を出力してミュートをオンしたのち（ステップＳ１２０）、ＣＤ再生部２２を制御し、ＣＤ２１の絶対時間がＰＲ（ＳＴ）の記録位置をサーチさせ（ステップＳ１２１）、サーチ完了後、ミュート部２３に対しミュートオフ制御信号を出力してミュートを解除させたのちＰＲ（ＳＴ）から再生を開始させる（ステップＳ１２２、Ｓ１２３）。この結果、ＣＤ再生部２２はＣＤ２１から再生したアナログ音楽信号を出力し、該アナログ音楽信号がミュート部２３を介してオーディオアンプ４０へ出力される。従って、スピーカ５０からは音の大きな音楽が目覚まし代わりに流れることになり、今度は確実に目覚めることができる。
【００４３】
再生中、コントロール部２８ＢはＰＲ（ＥＤ）まで再生し終えたかチェックしたり（ステップＳ１２４）、ストップキーの押圧によりストップ操作がされたかチェックしており（ステップＳ１２５）、音楽を聞いて目覚めたユーザがストップキーを押圧し、ストップ操作をすれば、ＣＤ再生部２２を制御して再生動作を停止させるとともにミュート部２３へミュートオン制御信号を出力してミュートをオンさせる（ステップＳ１２５でＹＥＳ、Ｓ１２６、Ｓ１２７）。
【００４４】
なお、最初、ユーザがタイマ予約キーを押圧することなく電源キーを押圧したとき、コントロール部２８Ｂは図１１のステップＳ１３０でＹＥＳと判断し、電源開閉スイッチ２７に対し電源オン制御をして、スイッチを閉じさせ、ＣＤ再生部２２とミュート部２３にＥを給電させる（ステップＳ１３１）。そして、プレイキーの押圧または電源キーの押圧を待ち（ステップＳ１３２、Ｓ１４１）、プレイキーが押圧されればプレイ操作がされたとしてステップＳ１３２でＹＥＳと判断し、ＣＤ再生部２２にＣＤ２１のリードイン領域のＴＯＣ情報を読み取らせて入力し、内蔵メモリ（図示せず）に記憶し（ステップＳ１３３）、このＴＯＣ情報を参照してＣＤ再生部２２を制御をして１曲目の記録開始位置をサーチさせ（ステップＳ１３４）、サーチ完了後、ミュート部２３に対しミュートオフ制御信号を出力してミュートを解除し（ステップＳ１３５）、当該１曲目の記録開始位置から再生を開始させる（ステップＳ１３６）。
【００４５】
この結果、ＣＤ２１の１曲目の音楽から順にスピーカ４０から聞こえる。再生中、コントロール部２８Ｂは最終曲の最後まで再生し終えたかチェックしたり（ステップＳ１３７）、ストップキーの押圧によりストップ操作がされたかチェックしており（ステップＳ１３８）、音楽を聞いて目覚めたユーザがストップキーを押圧し、ストップ操作をすれば、ＣＤ再生部２２を制御して再生動作を停止させるとともにミュート部２３へミュートオン制御信号を出力してミュートをオンさせる（ステップＳ１３８でＹＥＳ、Ｓ１３９、Ｓ１４０）。更に、電源キーが押されれば、コントロール部２８ＢはステップＳ１４１でＹＥＳと判断し、電源開閉スイッチ２７を制御し、スイッチを開かせる（ステップＳ１４２）。
【００４６】
この実施の形態によれば、ユーザがＣＤプレーヤ２０Ｂをたとえば目覚まし代わりに使用するため、予め、タイマ予約モードにしてタイマ予約時間の設定操作をすると、コントロール部２８ＢはＣＤ再生部２２を制御し、ＣＤ２１のプログラム領域全体を飛び飛びに短時間ずつ再生させながら、各再生箇所での音楽信号レベルと記録位置との関係を検出して検索情報記憶部３０に記憶させていく。そして、検索情報記憶部３０の記憶内容を参照して、任意の曲のＴ１  の時間分の任意の再生区間で見て平均的な音楽信号レベルが最小となっている最小音量記録区間ＰＱの記録開始絶対時間ＰＱ（ＳＴ）と記録終了絶対時間ＰＱ（ＥＤ）を検索して内蔵メモリ（図示せず）に記憶する。また、任意の曲のＴ２  の時間分の任意の再生区間で見て平均的な音楽信号レベルが最大となっている最大音量記録区間ＰＲの記録開始絶対時間ＰＲ（ＳＴ）と記録終了絶対時間ＰＲ（ＥＤ）を検索して内蔵メモリ（図示せず）に記憶しておく。その後、計時部３１で計時した現在の日時がタイマ予約時間に一致すると、レベル順再生指令が与えられたとして、ＣＤ再生部２２を制御し、最初に最小音量記録区間ＰＱを再生させ、続いて最大音量記録区間ＰＲを再生させる。これにより、ユーザの設定したタイマ予約時間になると、前半はスピーカ５０から音の小さな音楽が目覚ましの合図として流れることになり、突然の大きな音で驚かされることなく目を覚ますことができる。若し、音の小さな音楽で目が覚めなくても、後半には音の大きな音楽が目覚ましの合図として流れるので、今度は確実に目覚めることができる。
なお、ＣＤ２１の音楽信号レベルと記録位置との関係の抽出、最小音量記録区間ＰＱと最大音量記録区間ＰＲの検索は、計時部３１で計時した日時がタイマ予約時間（ＴＭ）に一致したあと、実行するようにしても良い。
【００４７】
また、上記した第２の実施の形態では、図９のステップＳ１０３、Ｓ１０４においてＴ１  ＝１５秒、Ｔ２  ＝２０秒として説明したが、Ｔ１  ＝Ｔ２  ＝１５秒としたり、Ｔ１  ＝２０秒、Ｔ２  ＝１５秒などとしても良い。また、コントロール部２８Ｂは図９のステップＳ１０３、Ｓ１０４、図１０のステップＳ１１０〜Ｓ１２７において、検索情報記憶部３０の記憶内容を参照して、ＣＤ２１の中で、任意の曲の任意の場所のＴ１  の時間の再生区間で見て平均的な音楽信号レベルが最小となっている最小音量記録区間ＰＱと、ＣＤ２１の中で、任意の曲の任意の場所のＴ２  の時間分の再生区間で見て平均的な音楽信号レベルが最大となっている最大音量記録区間ＰＲを検索しておき、先にＰＱの区間を再生し、続いてＰＲの区間を再生することでレベル順再生を行うようにしたが、これと異なり、次のようにしても良い。すなわち、ＣＤ２１の中で各曲の最後のＴ１  の区間に入るものを除く音楽信号レベルデータＭＬＤｉｊの中で、最小のものＭＬＤａｂに対応する絶対時間データＡＴＤａｂを検索し、音楽信号レベルが最小の記録位置ＰＱ（ＳＴ）´とする。そして、ＰＱ（ＥＤ）´＝ＰＱ（ＳＴ）´＋Ｔ１  とし、ＰＱ（ＳＴ）´からＰＱ（ＥＤ）´までを第１記録区間ＰＱ´とする。また、ＣＤ２１の中で各曲の最後のＴ２  の区間に入るものを除く音楽信号レベルデータＭＬＤｉｊの中で、最大の音楽信号レベルデータＭＬＤｃｄに対応する絶対時間データＡＴＤｃｄを検索し、音楽信号レベルが最大の記録位置ＰＲ（ＳＴ）´とする。そして、ＰＲ（ＥＤ）´＝ＰＲ（ＳＴ）´＋Ｔ２  とし、ＰＲ（ＳＴ）´からＰＲ（ＥＤ）´までを第２記録区間ＰＲ´とする。そして、現在の日時がタイマ予約時間と一致したらＣＤ再生部２２とミュート部２３を制御し、先に第１記録区間ＰＱ´を再生させてオーディオ出力させ、続いて第２記録区間ＰＲ´を再生させてオーディオ出力させるるようにしても良い。
このようにしても、音楽信号レベルが最小の記録位置から暫くは音の小さな音楽が記録されている確率が高く、音楽信号レベルが最大の記録位置から暫くは音の大きな音楽が記録されている確率が高く、最初はスピーカ５０から音の小さな音楽が目覚ましの合図として流れることになり、突然の大きな音で驚かされることなく目を覚ますことができる。若し、音の小さな音楽で目が覚めなくても、後半には音の大きな音楽が目覚ましの合図として流れるので、今度は確実に目覚めることができる。
但し、ＣＤ２１の音楽信号レベルと記録位置との関係の抽出、ＰＱ（ＳＴ）´、ＰＲ（ＳＴ）´の検索、第１記録区間ＰＱ´と第２記録区間ＰＲ´の決定までの処理は、計時部３１で計時した日時がタイマ予約時間（ＴＭ）に一致したあと、実行するようにしても良い。
また、最大音量記録区間ＰＲ（または第２記録区間ＰＲ´）の終了位置はＣＤ２１のプログラム領域の最後の位置としても良い。
【００４８】
なお、上記した各実施の形態では、ＣＤを記録媒体とする場合を例に挙げて説明したが、本発明は何らこれに限定されず、ＭＤ（ミニディスク）、ＤＶＤ（ディジタル多用途ディスク）など、他の種類の記録媒体を用いる場合にも同様に適用することができる。
【００４９】
【発明の効果】
本発明によれば、最初小さな音の音楽が聞こえるので、ユーザは突然の大きな音でびっくりさせることなく音楽が流れ始めたのを知ることができ、就寝中であれば驚かずに自然に目覚めることかできる。若し、小さな音のため良く聞こえなかった場合でも次に大きな音の音楽が聞こえるので確実に音楽が鳴っているのが分かり、就寝中であれば確実に目覚めることかできる。
【図面の簡単な説明】
【図１】本発明の第１の実施の形態に係るオーディオシステムの構成を示すブロック図である。
【図２】図１中の検索情報記憶部の記憶内容の説明図である。
【図３】図１中のＣＤプレーヤのコントロール部の制御処理を示すフローチャートである。
【図４】図１中のＣＤプレーヤのコントロール部の制御処理を示すフローチャートである。
【図５】図１中のＣＤプレーヤのコントロール部の制御処理を示すフローチャートである。
【図６】図１における最小音量記録区間の検索動作の説明図である。
【図７】図１における最大音量記録区間の検索動作の説明図である。
る。
【図８】本発明の第２の実施の形態に係るオーディオシステムの構成を示すブロック図である。
【図９】図８中のＣＤプレーヤのコントロール部の制御処理を示すフローチャートである。
【図１０】図８中のＣＤプレーヤのコントロール部の制御処理を示すフローチャートである。
【図１１】図８中のＣＤプレーヤのコントロール部の制御処理を示すフローチャートである。
【図１２】従来のオーディオシステムの構成を示すブロック図である。
【図１３】図１２中のＣＤプレーヤのコントロール部の制御処理を示すフローチャートである。
【符号の説明】
１０  タイマ                      ２０Ａ、２０Ｂ  ＣＤプレーヤ
２１  ＣＤ                        ２２  ＣＤ再生部
２４、２４Ｂ  キー操作部          ２５  タイマオンプレイスイッチ
２６  電源部                      ２７  電源開閉スイッチ
２８Ａ、２８Ｂ  コントロール部    ２９  レベル検出部
３０  検索情報記憶部              ３１  計時部
４０  オーディオアンプ
【図１】
0003590560.tif 000002
【図２】
0003590560.tif 000003
【図３】
0003590560.tif 000004
【図４】
0003590560.tif 000005
【図５】
0003590560.tif 000006
【図６】
0003590560.tif 000007
【図７】
0003590560.tif 000008
【図８】
0003590560.tif 000009
【図９】
0003590560.tif 000010
【図１０】
0003590560.tif 000011
【図１１】
0003590560.tif 000012
【図１２】
0003590560.tif 000013
【図１３】
0003590560.tif 000014